(57)【要約】      （修正有）【課題】簡易に、バルーンに保護管が被さったバルーンカテーテルのガイドワイヤールーメンに棒状芯材を挿入する方法を提供する。【解決手段】バルーンに保護管２が被さったバルーンカテーテル１のガイドワイヤールーメン５に、棒状芯材を挿入する方法であって、保護管２とバルーンカテーテル１の遠位部がなす空間にニードル状器具１１を挿入し、バルーンカテーテル１の遠位端を保護管２の内壁に接触させ、接触させた状態で棒状芯材をガイドワイヤールーメン５に挿入する。【選択図】図２ａ
2019195576.tif 000002
【特許請求の範囲】
【請求項１】
バルーンに保護管が被せられ、棒状芯材がガイドワイヤールーメンに挿入されたバルーンカテーテルの製造方法であって、
バルーンカテーテルの遠位端もしくは遠位部と、保護管との間に、ニードル状器具を挿入することによってバルーンカテーテルの遠位端を保護管の内壁に接触させ、接触させた状態で棒状芯材をガイドワイヤールーメンに挿入する、棒状芯材が挿入されたバルーンカテーテルの製造方法。
【請求項２】
ニードル状器具の先端がテーパー状である、請求項１に記載の棒状芯材が挿入されたバルーンカテーテルの製造方法。
【請求項３】
棒状芯材をガイドワイヤールーメンに挿入する際に、棒状芯材をニードル状器具に沿わせながら挿入する、請求項１もしくは２に記載の棒状芯材が挿入されたバルーンカテーテルの製造方法。
【請求項４】
挿入したニードル状器具の先端を径方向内側に傾けることによって、バルーンカテーテルの遠位端を保護管の内壁に接触させる、請求項１〜３のいずれかに記載の棒状芯材が挿入されたバルーンカテーテルの製造方法。
【発明の詳細な説明】
【技術分野】
【０００１】
本発明は、バルーンに保護管が被さったバルーンカテーテルのガイドワイヤールーメンに、棒状芯材を挿入する、棒状芯材が挿入されたバルーンカテーテルの製造方法に関するものである。
【背景技術】
【０００２】
一般的なバルーンカテーテルは、近位から遠位に亘るチューブ状部材、近位側に流体を導入する開口部、バルーンカテーテル遠位側に周方向に拡張されるバルーンが配置される。チューブ状部材は近位側から遠位側へ亘るガイドワイヤールーメンと近位側から遠位側のバルーンにつながるルーメンを含む。
【０００３】
バルーンカテーテル製造工程において、図１ａに示すようにバルーン部位を保護するために保護管２が被せられる。バルーンカテーテル遠位部を十分に保護するため、保護管の遠位端はバルーンカテーテル遠位端４より遠位側に位置する。
【０００４】
バルーンカテーテルのチューブ部分は柔軟性の高い樹脂から形成されるため、形状保持を行うべく、棒状芯材をバルーンカテーテルのルーメンに通す。図１ｂで示すように、棒状芯材３は一般的にバルーン全長より長く、バルーンカテーテル遠位端４からガイドワイヤールーメン５に挿入される。棒状芯材３はガイドワイヤールーメン５に挿入可能な形状を有する。棒状芯材３はバルーンカテーテル遠位端４に挿入する側の反対側に保護管２の内径より大きいサイズの頭部（大径部）（図示せず）を有していても良い。頭部は棒状芯材３がガイドワイヤールーメン５の近位端側に行きすぎないようストッパーの役割を果たす。棒状芯材３はバルーン部分を保護する保護管２の遠位端に棒状芯材３の頭部が接するまで挿入される。
【０００５】
バルーンカテーテルの製造工程では、保護管が透明ではない場合、始めに棒状芯材をバルーン保護管に通し、その後にバルーンカテーテルの遠位端に棒状芯材を挿入し、バルーンにバルーン保護管をスライドさせ被せることによって、バルーンカテーテルに保護管と棒状芯材を装着させる。また、先にバルーンにバルーン保護管を被せる場合は、保護管が不透明であると、保護管を被せた後に棒状芯材をバルーンに入れようとしても、バルーンカテーテルの遠位端が見えず、挿入することが難しい。更にバルーンカテーテル遠位端のガイドワイヤールーメンのセンターの位置が必ずしもバルーン保護管のセンターと一致しないため、図１ｃで示すように棒状芯材を保護管のセンターと一致するように入れてもバルーンカテーテルの遠位端に入らないことがある。
【０００６】
特許文献１には内外二重管のチューブにおいて、内管を強制的にセンタリングし、ガイド機構を用いることにより棒状芯材を挿入する冶具について記載している。
【先行技術文献】
【特許文献】
【０００７】
【特許文献１】特開２０１８−１５８３３号公報
【発明の概要】
【発明が解決しようとする課題】
【０００８】
特許文献１に記載の冶具を用いる場合、一度外管に冶具を挿入する工程が入るが、チューブ径がミリからサブミリオーダーと小さく、さらに外管の内径に近いサイズの冶具を一旦外管に挿入する必要があるため、作業性がよくない。
【課題を解決するための手段】
【０００９】
前述の課題を鑑みて、本発明の目的とするところは、簡易に、バルーンに保護管が被さったバルーンカテーテルのガイドワイヤールーメンに棒状芯材を挿入する方法を、提供することである。
【００１０】
すなわち本発明は、
（１）．バルーンに保護管が被せられ、棒状芯材がガイドワイヤールーメンに挿入されたバルーンカテーテルの製造方法であって、
バルーンカテーテルの遠位端もしくは遠位部と、保護管との間に、ニードル状器具を挿入することによってバルーンカテーテルの遠位端を保護管の内壁に接触させ、接触させた状態で棒状芯材をガイドワイヤールーメンに挿入する、棒状芯材が挿入されたバルーンカテーテルの製造方法、
（２）．ニードル状器具の先端がテーパー状である、（１）に記載の棒状芯材が挿入されたバルーンカテーテルの製造方法、
（３）．棒状芯材をガイドワイヤールーメンに挿入する際に、棒状芯材をニードル状器具に沿わせながら挿入する、請求項１もしくは２に記載の棒状芯材が挿入されたバルーンカテーテルの製造方法、
に関する。
【発明の効果】
【００１１】
本発明の方法を用いると、バルーンに保護管が被さったバルーンカテーテルのガイドワイヤールーメンに、棒状芯材を簡単に挿入することができる。
【図面の簡単な説明】
【００１２】
【図１ａ】バルーンカテーテルの一部および棒状芯材の一部を表す図である。
【図１ｂ】バルーンカテーテル内に棒状芯材を挿入した形態を表す図である。
【図１ｃ】バルーンカテーテルと保護管の間に誤って棒状芯材を挿入した形態を表す図である。
【図１ｄ】図１ａにおけるＡ―Ａ断面図である。
【図２ａ】バルーンカテーテルおよびニードル状器具を表す。
【図２ｂ】ニードル状器具を保護管およびバルーンカテーテル遠位部へ挿入した形態を表す図である。
【図２ｃ】図２ｂ後、ニードル状器具を長手方向に対し傾かせ、バルーンカテーテル遠位部を持ち上げた形態を表す図である。
【図２ｄ】図２ｃにおけるＢ−Ｂ断面図である。
【図２ｅ】図２ｃの状態にて棒状芯材をニードル状器具に沿わせて挿入する図である。
【図２ｆ】本発明の器具を用いてガイドワイヤールーメンに棒状芯材を挿入した図である。
【発明を実施するための形態】
【００１３】
以下、本発明に係る器具の実施形態について図面を参照しつつ説明する。なお、便宜上、図面において符号を省略する場合もあるが、かかる場合、他の図面を参照するものとする。また、図面における種々部材の寸法は、便宜上、見やすいように調整されていることもある。
【００１４】
＜第一の実施形態＞
バルーンカテーテルは図では同心円となるようチューブにバルーンが配置されているが特に限定せず、バルーンとチューブの中心がずれていてもよい。例えばバルーンがチューブの周方向の一部にのみ配置されている偏った形状のもの、あるいはバルーン自体の形状が周方向に対して偏りが生じているものでもよい。また、バルーン形状について、絵では両端部がコーン形状、中央がストレート形状からなるバルーンが記載されているが特に限定はせず、バルーンの一部にブレード部が配置されているものや、バルーン中央部に拡大抑制部が配置されているなど、複数のバルーンが軸方向につながった形状のものでもよい。また、バルーンの折り畳み形状についても特に限定せず２枚折りでも３枚折り、あるいは４枚折り以上の複数枚折りでもよい。
【００１５】
保護管について、保護管でバルーンを保護するのが目的であるが、その後にカテーテル全体を保護するチューブなどに収納するため、バルーンより硬度をもつ樹脂製が好ましい。樹脂についてはポリエチレン、ポリプロピレン、ナイロンやフッ素樹脂など特に限定しない。保護管の形状であるが、特に限定せず単純円筒形でも螺旋形状に膨らむ形状でも、ボーン形状でもよい。保護管の長さは、２０ｍｍ以上、３５０ｍｍ以下が好ましく、５０ｍｍ以上、２５０ｍｍ以下がより好ましい。保護管はバルーンよりも５ｍｍ以上長いことが好ましく、十分にバルーンを覆うため１０ｍｍ以上長いことがより好ましい。
棒状芯材の形状については特に限定せず、長手方向に全て径が一定のものでもよく、先端側へ伴い径が減少する構造でもよい。また、棒状芯材の材質については、変形が少なく、変質がない金属が好ましい。また、棒状芯材の径は０．３ミリ以上１ミリ以下のものである。棒状芯材の長さは、１００ｍｍ以上が好ましい。棒状芯材の径は０．２ミリ以上１ミリ以下のものである。棒状芯材の径は、ガイドワイヤールーメンの径よりも、０．１ｍｍ以上小さいのが好ましい。
【００１６】
棒状芯材の頭部の形状は、丸みを帯びていることが好ましく、Ｒ０．５ｍｍ以上が好ましい。
【００１７】
図２ａには、保護管が被さったバルーンカテーテルの遠位端４と保護管２の内部にニードル状器具１１を挿入している形態を図示している。
【００１８】
図２ａでは、ニードル状器具１１の先端が単純直線テーパー形状のものを図示しているが、先端形状については特に限定せず、一様の断面形状でもよいが、バルーンカテーテルの遠位端４を持ち上げやすいよう直線、あるいは曲線テーパー形状であることが好ましい。テーパーの角度は、１°以上、が好ましい。また、ニードル状器具１１の断面形状については、円形、楕円形、四角形、三日月形あるいは馬蹄形など特に限定しないが、ニードル状器具１１の挿入時に保護管２およびバルーンカテーテル１を傷つけないよう丸みを帯びた形状であることが好ましい。ニードル状器具１１の材質については、金属や樹脂など特に限定せず、表面状態についてはニードル状器具１１挿入時に保護管２およびバルーンカテーテル１に傷が入らないよう表面は鏡面仕上げ程度が好ましい。ニードル状器具１１の外径については特に限定しないが、バルーンカテーテル遠位端４の外面と保護管２の内面がなす空隙に入る必要があり、０．２ミリ以上１．０ミリ以下であることが好ましい。ニードル状器具１１の長さは、１００ｍｍ以上、が好ましい。
【００１９】
図２ａの配置後、図２ｂに示すように、ニードル状器具１１をバルーンカテーテル１の近位側へさらに挿入することにより、バルーンカテーテル遠位端４が上側へ持ち上げられ保護管２内壁と接触する。バルーンカテーテル１、保護管２およびニードル状器具１１の状態、例えばニードル状器具１１断面が小さな楕円形状の場合、図２ｂで示すようにニードル状器具１１を単純に挿入するだけでは空隙が発生しバルーンカテーテル遠位端４が保護管２の内壁に接触しない場合もあるため、図２ｃに示すようにニードル状器具１１の先端を、バルーンカテーテル遠位端４を持ち上げるよう径方向内側に傾かせることにより、図２ｄに示すようにカテーテル遠位端４を保護管２の内壁に接触させることができる。
【００２０】
図２ｂ或いは図２ｃにてバルーンカテーテル遠位端４を保護管２の内壁に接触させた状態だとガイドワイヤールーメンの位置が一意に決まる。そのため、図２ｅにて示すように棒状芯材３をニードル状器具１１に沿わせて進めることにより、図２ｆのように棒状芯材３をガイドワイヤールーメン５に容易に挿入することができる。  
棒状芯材３の先端が、一旦ガイドワイヤールーメン５に入ってしまえば挿入方向へ棒状芯材３を進めることが可能となる。ニードル状器具１１によりバルーンカテーテル遠位端４を持ち上げたままではガイドワイヤールーメン内の形状の変形により棒状芯材３の挿入に対して抵抗が生じる可能性がある。そのため、挿入抵抗を下げるべく棒状芯材３の挿入を進める前にニードル状器具１１を一旦外す。
【符号の説明】
【００２１】
１        バルーンカテーテル
２        保護管
３        棒状芯材
４        バルーンカテーテル遠位端
５        ガイドワイヤールーメン
１１        ニードル状器具
【図１ａ】
2019195576.tif 000003
【図１ｂ】
2019195576.tif 000004
【図１ｃ】
2019195576.tif 000005
【図１ｄ】
2019195576.tif 000006
【図２ａ】
2019195576.tif 000007
【図２ｂ】
2019195576.tif 000008
【図２ｃ】
2019195576.tif 000009
【図２ｄ】
2019195576.tif 000010
【図２ｅ】
2019195576.tif 000011
【図２ｆ】
2019195576.tif 000012